(57)【要約】【課題】  遺言情報を管理する遺言者端末において、遺言者が作成した遺言情報や遺言情報の送信先に関する情報を、遺言者の死後に、遺言者の意図しない者に見られないようにする。【解決手段】遺言者端末の記憶装置に、遺言に関する遺言情報や、遺言情報の送信先に関する送信先情報とともに、遺言情報が送信先情報に基づいて所定の送信先に送信された後に、その遺言情報と送信先情報を削除するか否かの報知情報を記憶しておく。遺言者の死後、遺族により遺言情報の開封指令が入力され、遺言情報が送信先情報に基づいて所定の送信先に送信された際に、遺言者端末の制御装置が、記憶装置に記憶された遺言情報及び送信先情報を、前記報知情報に基づいて管理する。【選択図】図１
2006155397.tif 000002
【特許請求の範囲】
【請求項１】
所定の通信網を介して外部装置との間で通信を行うための通信手段と、
使用者が作成した遺言を表す遺言情報を、該遺言情報の送信先を表す送信先情報と共に記憶するための記憶手段と、
前記遺言情報、前記送信先情報及び前記遺言情報の開封指令を含む各種情報を外部操作によって入力するための操作手段と、
該操作手段を介して前記遺言情報及び前記送信先情報が入力されると、これら各情報を前記記憶手段に書き込む書込手段と、
前記操作手段を介して前記遺言情報の開封指令が入力されると、前記通信手段を介して、前記記憶手段に記憶された遺言情報を前記送信先情報にて特定される所定の送信先に送信する送信手段と、
該送信手段が前記遺言情報を送信すると、該遺言情報と前記送信先情報とを前記記憶手段から消去する消去手段と、
を備えたことを特徴とする遺言情報管理装置。
【請求項２】
前記送信手段は、前記操作手段を介して前記開封指令が入力されると、前記遺言情報を送信可能であることを表す開封情報を、前記通信手段を介して前記送信先に送信し、その後、前記開封情報に対して前記送信先から送信された遺言情報の要求にしたがって、前記記憶手段より前記遺言情報を読み出して、前記通信手段を介して前記送信先に送信することを特徴とする請求項１に記載の遺言情報管理装置。
【請求項３】
前記書込手段は、前記遺言情報及び前記送信先情報を前記記憶手段に書き込む際には、これら各情報と共に前記操作手段を介して入力された使用者の認証情報も書き込み、その後、前記操作手段を介して前記記憶手段に記憶された遺言情報の更新指令が入力されると、該更新指令と共に前記操作手段から入力された認証情報に基づき、前記更新指令を入力してきた操作者が、前記遺言情報の作成者であるか否かを判定し、前記更新指令を入力してきた操作者が前記遺言情報の作成者である場合に、前記更新指令に従い、前記記憶手段に記憶された遺言情報を更新することを特徴とする請求項１又は請求項２に記載の遺言情報管理装置。
【請求項４】
前記記憶手段に記憶された遺言情報及び送信先情報を当該装置周囲に報知するための出力手段を備え、
前記書込手段は、前記遺言情報及び前記送信先情報を前記記憶手段に書き込む際には、これら各情報と共に前記操作手段を介して入力された報知許可情報も書き込み、
前記送信手段は、前記操作手段を介して前記遺言情報の開封指令が入力されると、前記記憶手段に記憶された報知許可情報に基づき、前記遺言情報及び送信先情報を当該装置周囲に報知するか否かを判定し、これら各情報を報知すると判定すると、前記出力手段を介して、前記記憶手段に記憶された遺言情報及び送信先情報を当該装置周囲に報知させることを特徴とする請求項１〜請求項３の何れかに記載の遺言情報管理装置。
【請求項５】
請求項１〜請求項４の何れかに記載の遺言情報管理装置を構成する書込手段、送信手段、及び消去手段としての機能を、コンピュータの動作によって実現するためのプログラム。
【発明の詳細な説明】
【技術分野】
【０００１】
本発明は、遺言者が作成した、遺族や友人、知人等の関係者への遺言情報の管理を行う遺言情報管理装置、及びプログラムに関する。
【背景技術】
【０００２】
従来より、遺言者が作成した遺言情報をサービス機関に登録しておき、同遺言者が死亡した場合、或いは意思表示が出来ない状態に至った場合に、同サービス機関が同遺言情報を遺族に伝達する遺言サービスが提案されている。
【０００３】
例えば、サーバに遺言者が作成した遺言に関する遺言情報と、その遺言情報の送信先とを遺言者毎に登録しておき、サーバは、役所等の公的機関から送信されてくる死亡者リストを参照して、この死亡者リストの中に登録された遺言者が含まれていたり、或いは登録された遺言者に対する医師からの死亡証明書、又は診断書等を読み込んだりすることで、その遺言者の遺言情報を、予め登録された送信先へ送信するシステムが知られている（例えば特許文献１、特許文献２等参照）。
【特許文献１】特開２００２―４９７０８号
【特許文献２】特開平１０−１７７５９４号
【発明の開示】
【発明が解決しようとする課題】
【０００４】
ところで、上述したような従来システムが持つ機能を、遺言者が所有するパーソナルコンピュータを用いて実現するようにした場合、遺言者は好きな時に遺言情報を登録したり更新したりできるし、また遺言情報の内容をいつでも確認したりすることができるので便利である。
【０００５】
しかしながら、遺言者が死亡すると、そのパーソナルコンピュータを管理する者がいなくなり、例えば遺族がパーソナルコンピュータを管理することになる。また、遺言情報を開封して所定の送信先に送信する際には、遺族等が、遺言情報を開封するための指令を入力する等の操作を行うことになり、遺族等は遺言情報を見ることができるようになる。
【０００６】
一方、遺言者にとっては、開封された遺言情報を遺族や周囲の者に勝手にコピーされたり、或いは頒布されたりするおそれがある。また、いくらパスワード等を設定して遺言情報を見られないようにしておいても、パスワードを予測されるなど、必ずしも安全であるとは言えず、遺言情報が遺言者の意図しない者に見られてしまうおそれがある。
【０００７】
本発明は、こうした問題に鑑みなされたもので、遺言情報を管理する遺言情報管理装置であって、遺言者の死後に、遺言情報が遺言者の意図しない者に見られることを防止することを目的とする。
【課題を解決するための手段】
【０００８】
係る目的を達成するためになされた請求項１に記載の遺言情報管理装置は、所定の通信網を介して外部装置との間で通信を行うための通信手段と、
使用者が作成した遺言を表す遺言情報を、該遺言情報の送信先を表す送信先情報と共に記憶するための記憶手段と、
前記遺言情報、前記送信先情報及び前記遺言情報の開封指令を含む各種情報を外部操作によって入力するための操作手段と、
該操作手段を介して前記遺言情報及び前記送信先情報が入力されると、これら各情報を前記記憶手段に書き込む書込手段と、
前記操作手段を介して前記遺言情報の開封指令が入力されると、前記通信手段を介して、前記記憶手段に記憶された遺言情報を前記送信先情報にて特定される所定の送信先に送信する送信手段と、
該送信手段が前記遺言情報を送信すると、該遺言情報と前記送信先情報とを前記記憶手段から消去する消去手段と、
を備えたことを特徴とする。
【０００９】
このように構成された請求項１に記載の遺言情報管理装置においては、書込手段が、遺言者が操作手段を介して入力した遺言に関する遺言情報、及び遺言情報の送信先に関する送信先情報を、記憶手段に登録する。
【００１０】
また、遺族等により、操作手段を介して遺言情報の開封指令が入力されると、送信手段は、記憶手段に書き込まれた遺言情報を、記憶手段に記憶された送信先情報に基づき、通信手段を介して所定の送信先に送信する。
【００１１】
よって、この請求項１に記載の遺言情報管理装置によれば、遺族等が開封指令を入力することで、予め指定した送信先に遺言情報を送信することができる。したがって、遺言者の思いを関係者に容易に伝達することができ、遺族の負担の軽減にもつながる。
【００１２】
また、この請求項１に記載の遺言情報管理装置においては、遺言情報が予め指定された所定の送信先に送信されると、消去手段が、記憶手段に記憶された遺言情報、及び送信先情報を削除する。
【００１３】
したがって、遺言情報が不要に外部に漏れることを防止することができる。また、所定の送信先に送信する遺言情報の内容や、送信先に関する情報を遺族に知られたくないという遺言者の要望にも応えることができる。
【００１４】
次に、請求項２に記載の発明は、請求項１に記載の遺言情報管理装置において、前記送信手段は、前記操作手段を介して前記開封指令が入力されると、前記遺言情報を送信可能であることを表す開封情報を、前記通信手段を介して前記送信先に送信し、その後、前記開封情報に対して前記送信先から送信された遺言情報の要求にしたがって、前記記憶手段より前記遺言情報を読み出して、前記通信手段を介して前記送信先に送信することを特徴とする。
【００１５】
よって、この請求項２に記載の遺言情報管理装置によれば、遺言情報を予め指定された所定の送信先に一方的に送信することを避けることができる。例えば、遺言情報の情報量が膨大であったりすると、それらを受信する受信側の端末の負荷が大きくなってしまうので、一方的に送信したのでは迷惑がかかってしまう。しかし、本発明によりそういった事態を避けることができる。また、受信者によっては、遺言情報のような遺言に関する情報を見たくない（或いは受信したくない）と考える場合も想定され、本発明によると、受信側にも配慮した遺言情報管理装置を提供することができる。
【００１６】
次に、請求項３に記載の発明は、請求項１又は請求項２に記載の遺言情報管理装置において、前記書込手段は、前記遺言情報及び前記送信先情報を前記記憶手段に書き込む際には、これら各情報と共に前記操作手段を介して入力された使用者の認証情報も書き込み、その後、前記操作手段を介して前記記憶手段に記憶された遺言情報の更新指令が入力されると、該更新指令と共に前記操作手段から入力された認証情報に基づき、前記更新指令を入力してきた操作者が、前記遺言情報の作成者であるか否かを判定し、前記更新指令を入力してきた操作者が前記遺言情報の作成者である場合に、前記更新指令に従い、前記記憶手段に記憶された遺言情報を更新することを特徴とする。
【００１７】
このように構成された請求項３に記載の遺言情報管理装置においては、前記書込手段は、遺言情報の更新指令が使用者により入力されると、記憶手段に記憶された認証情報に基づいて使用者の認証を行った後に、更新指令にしたがって遺言情報を更新する。
【００１８】
よって、この請求項３に記載の遺言情報管理装置によれば、一旦記憶手段に登録した遺言情報を、遺言者が操作手段を介して入力した更新指令に従って更新することができる。また、遺言者が意図しない者に不正に遺言情報を書き換えられることを防止することができる。
【００１９】
次に、請求項４に記載の発明は、請求項１〜請求項３に記載の遺言情報管理装置において、前記記憶手段に記憶された遺言情報及び送信先情報を当該装置周囲に報知するための出力手段を備え、
前記書込手段は、前記遺言情報及び前記送信先情報を前記記憶手段に書き込む際には、これら各情報と共に前記操作手段を介して入力された報知許可情報も書き込み、
前記送信手段は、前記操作手段を介して前記遺言情報の開封指令が入力されると、前記記憶手段に記憶された報知許可情報に基づき、前記遺言情報及び送信先情報を当該装置周囲に報知するか否かを判定し、これら各情報を報知すると判定すると、前記出力手段を介して、前記記憶手段に記憶された遺言情報及び送信先情報を当該装置周囲に報知させることを特徴とする。
【００２０】
このように構成された請求項４に記載の遺言情報管理装置においては、書込手段は、遺言情報及び送信先情報と共にそれらを報知するか否かの情報を、遺言者が操作手段を介して入力した情報に基づいて記憶手段に登録する。そして、送信手段は、遺言情報の開封指令が入力されると、報知することを許可された遺言情報を出力手段を介して周囲に報知する。
【００２１】
よって、この請求項４に記載の遺言情報管理装置によれば、遺言情報を所定の送信先に送信し、その後削除するのみでなく、遺言者が予め遺言情報を報知することを許可しておくことで、遺言情報を出力手段を介して周囲に報知するようにすることもできる。したがって、遺言情報をすぐに遺族に伝達したいという遺言者の要望にも応えることができる。また、このように遺言情報を報知するようにした場合に、遺族はどこにどのような情報が送信されたか知ることができるので、遺言者の死後の対応（例えば葬儀の準備）等がとりやすくなる。
【００２２】
なお、遺言情報を報知する場合に、具体的には、出力手段としてディスプレイを用いることで、遺言情報を画像表示して報知するようにすることができる。また、スピーカを用いることで、遺言情報を音声として通知して、報知するようにすることができる。
【００２３】
次に、請求項５に記載の発明は、請求項１〜請求項４の何れかに記載の遺言情報管理装置を構成する書込手段、送信手段、及び消去手段としての機能を、コンピュータの動作によって実現するためのプログラムである。
【００２４】
このため、本プログラムによれば、コンピュータに、上記遺言情報管理装置を構成する書込手段、送信手段、消去手段、としての各機能を持たせることができる。その結果、このコンピュータを用いて上記遺言情報管理装置を実現することができ、これにより上述した効果を得ることができる。
【発明を実施するための最良の形態】
【００２５】
以下、本発明が適用された実施形態について、図面を用いて説明する。
図１は、本発明が適用された実施形態の遺言情報管理装置、及び遺言情報管理装置を利用したシステムの概略構成を表すブロック図である。
【００２６】
同図に示すように、本発明の遺言情報管理装置に相当する遺言者端末１０は、周知のコンピュータシステムで構成され、ＣＰＵ１２、ハードディスク１４（以下、ＨＤＤという）、通信装置１６、ＲＯＭ１８、ＲＡＭ２０を備えている。
【００２７】
ＲＯＭ１８には、ＣＰＵ１２に各種制御を実行させるためのプログラムが記憶されており、ＣＰＵ１２は、そのプログラムをもとに各種制御を行う。また、ＲＡＭ２０は、各種情報を一時記憶保持するためのものである。また、本発明の記憶手段に相当するＨＤＤ１４には、遺言者が入力した遺言に関する遺言情報、遺言情報の送信先に関する送信先情報、遺言情報を報知するか否かを表す報知情報、使用者の認証に関する認証情報等が登録される。
【００２８】
また、通信装置１６は、本発明における通信手段に相当し、インターネット４０に接続されている。そして、インターネット４０を介して、携帯電話やＰＨＳ端末等の無線電話端末５０、ＰＤＡ等の携帯情報端末５２、パソコン等のインターネット端末５４等との間でデータの送受信が可能なように構成されている。
【００２９】
また、遺言者端末１０は、遺言情報、送信先情報、報知情報、認証情報、及び開封指令等各種情報を入力するための、キーボード２２及びマウス２４を備えている。これらは、本発明の操作手段に相当する。また、遺言情報を報知するための、本発明における出力手段として、ディスプレイ２６及びスピーカ２８を備えている。
【００３０】
次に、遺言情報管理装置が行う遺言情報入力処理を、図２のフローチャートを用いて説明する。
この遺言情報入力処理においては、まずＳ１００において、キーボード２２及びマウス２４を介して各種情報を使用者に入力させるための、メニュー画面を表示する。
【００３１】
次に、Ｓ１１０へ移行し、使用者が入力した情報に基づいて、遺言情報を新規に登録するか否かを判断する。遺言情報を新規に登録すると判断すると、次にＳ１１５へ移行する。
【００３２】
Ｓ１１５においては、使用者の認証を行うための認証情報が入力されたか否かを判断する。入力されていないと判断すると、再びＳ１１５の同判断処理を行う。一方、認証情報が入力されたと判断すると、次に、Ｓ１２０へ移行し、この入力された情報に基づいて、使用者の認証情報を設定する。その後、Ｓ１５５へと移行する。
【００３３】
また、Ｓ１１０において、遺言情報を新規に登録しないと判断すると、次にＳ１３０へ移行し、遺言情報を更新するか否かを判断する。更新しないと判断すると、次にＳ２８５へ移行する。一方、遺言情報を更新すると判断すると、次に、Ｓ１４０へと移行する。
【００３４】
Ｓ１４０においては、使用者の認証情報が入力されたか否かを判断する。入力されていないと判断すると、再びＳ１４０の同判断処理を行う。一方、認証情報が入力されたと判断すると、次にＳ１５０へ移行する。
【００３５】
Ｓ１５０においては、入力された認証情報に基づいて、使用者の認証ができたか否かを判断する。認証ができないと判断すると、次にＳ２８５へと移行し、逆に、認証ができたと判断すると、次にＳ１５５へと移行する。
【００３６】
Ｓ１５５においては、キーボード２２及びマウス２４を介して、入力する各種情報を使用者に選択させるための、メニュー画面を表示する。
次に、Ｓ１６０へと移行し、キーボード２２及びマウス２４を介して入力する情報が使用者により選択されたか否かを判断する。選択されていないと判断すると、次に、Ｓ２８５へと移行する。
【００３７】
一方、Ｓ１６０において、入力する情報が選択されたと判断すると、次に、Ｓ１７０へ移行し、選択された情報が、使用者の認証に関する認証情報であるか否かを判断する。ここで、認証情報であると判断すると、続くＳ１８０において、認証情報を入力させるための認証情報入力画面を表示する。その後、Ｓ２４５へと移行する。
【００３８】
一方、Ｓ１７０において、選択された情報が認証情報でないと判断すると、次にＳ１９０へと移行し、選択された情報が、遺言に関する遺言情報であるか否かを判断する。ここで、遺言情報であると判断すると、続くＳ２００において、遺言情報を入力させるための遺言情報入力画面を表示する。その後、Ｓ２４５へと移行する。
【００３９】
一方、Ｓ１９０において、選択された情報が遺言情報でないと判断すると、次にＳ２１０へと移行し、選択された情報が、遺言情報の送信先に関する送信先情報であるか否かを判断する。ここで、送信先情報であると判断すると、続くＳ２２０において、送信先情報を入力させるための送信先情報入力画面を表示する。その後、Ｓ２４５へと移行する。
【００４０】
一方、Ｓ２１０において、選択された情報が送信先情報でないと判断すると、次にＳ２３０へと移行し、選択された情報が、遺言情報を報知するか、或いは報知しないかを表す報知情報であるか否かを判断する。ここで、報知情報であると判断すると、続くＳ２４０において、報知情報を入力させるための報知情報入力画面を表示する。その後、Ｓ２４５へと移行する。
【００４１】
Ｓ２４５においては、キーボード２２及びマウス２４を介して、前記各種情報が入力されたか否かを判断する。情報が入力されていないと判断すると、Ｓ２８５へ移行する。一方、情報が入力されたと判断すると、次に、Ｓ２５０へと移行し、入力された情報をメモリに一時記憶保持する。具体的には、ＲＡＭ２０に入力された情報を格納する。
【００４２】
次に、Ｓ２５５へと移行し、ここでは、入力された情報を新規にＨＤＤ１４に書き込むか否かを判断する。書き込むと判断すると、続くＳ２６０において、入力された情報を書き込む。その後、Ｓ２８５へと移行する。
【００４３】
また、Ｓ２５５において、新規に書込をしないと判断すると、次にＳ２６５へと移行し、入力された情報に基づいて、既存の各種情報を更新するか否かを判断する。更新すると判断すると、続くＳ２７０において、情報の更新を行う。その後、Ｓ２８５へと移行する。
【００４４】
また、Ｓ２６５において、更新をしないと判断すると、次にＳ２７５へと移行し、メモリに格納した情報を削除するか否かを判断する。削除しないと判断すると、再びＳ２５５の処理へと戻る。
【００４５】
一方、Ｓ２７５において、削除すると判断すると、続くＳ２８０において、メモリに格納した情報を削除する。その後、Ｓ２８５へと移行する。
Ｓ２８５においては、当該処理を終了するか否かを判断し、終了しないと判断すると、再びＳ１００へと戻り、メニュー画面を表示する。一方、終了すると判断すると、そのまま当該処理を終了する。
【００４６】
なお、本フローにおいて、Ｓ１１０〜Ｓ１５０、Ｓ１７０〜Ｓ２７０における処理は、本発明における書込手段に相当する。
次に、遺言情報管理装置が行う、遺言情報の開封指令に基づいて遺言情報を送信する、第１実施形態としての遺言情報送信処理について、図３のフローチャートを用いて説明する。
【００４７】
この第１実施形態の遺言情報送信処理においては、まず、Ｓ３００にて、遺言情報の開封指令が入力されたか否かを判断する。ここでは、遺族が遺言者により予め教えられたパスワードを、キーボード２２又はマウス２４を操作して設定することで、開封指令が入力されるようにするとよい。Ｓ３００において、開封指令が入力されていないと判断すると、再びＳ３００の同判断処理を行う。
【００４８】
一方、Ｓ３００にて、開封指令が入力されたと判断すると、次にＳ３１０へ移行し、入力された開封指令が予め定められた正規のものか否かを判断する。すなわち、本実施例においては、遺言者が予め設定しておいたパスワードと、遺族がキーボード２２又はマウス２４を操作して設定したパスワードが一致するか否かを判断する。
【００４９】
Ｓ３１０において、開封指令が正規のものでないと判断すると、そのまま当該処理を終了する。逆に、開封指令が正規のものであると判断すると、次にＳ３２０へ移行する。
Ｓ３２０においては、遺言情報及び送信先情報を報知する許可が与えられているか否かを、ＨＤＤ１４に登録された報知情報に基づいて判断する。報知する許可が与えられていると判断すると、次にＳ３３０へ移行し、遺言情報及び送信先情報をディスプレイ２６及びスピーカ２８を介して、周囲に報知する。報知方法としては、前記各種情報をディスプレイ２６に表示し、また報知する前記各種情報がある旨の音声メッセージを、スピーカ２８を介して通知する。そして、Ｓ３４０へと移行する。
【００５０】
一方、Ｓ３２０において、遺言情報及び送信先情報を報知する許可が与えられていないと判断すると、次にＳ３４０へと移行し、遺言情報を、ＨＤＤに１４に登録された送信先情報に基づいて、所定の送信先に送信する。
【００５１】
そして、Ｓ３５０へと移行し、ＨＤＤ１４に登録された遺言情報、及び送信先情報等を削除して、当該処理を終了する。
なお、本フローのＳ３００〜Ｓ３４０における処理は、本発明の送信手段に相当する。また、Ｓ３５０における処理は、本発明の消去手段に相当する。
【００５２】
以上説明したように、本第１実施形態においては、遺言情報の開封指令が入力されると、遺言情報の送信先情報に基づいて、遺言情報を予め指定された所定の送信先に送信する。
【００５３】
このため、本第１実施形態によれば、遺言情報を関係者に容易に伝達することができ、遺言者の要望に応えることができる。
また、本第１実施形態の遺言情報管理装置においては、遺言情報が予め指定された所定の送信先に送信されると、ＨＤＤ１４に登録された遺言情報及び送信先情報を削除する。
【００５４】
このため、本第１実施形態によれば、遺言情報及び送信先情報が、遺言者の意図しない者に知られることを防止することができる。
次に、遺言情報管理装置が行う、遺言情報の開封指令に基づいて遺言情報を送信する、請求項２に記載の発明が適用された第２実施形態としての遺言情報送信処理について、図４のフローチャートを用いて説明する。
【００５５】
この第２実施形態の遺言情報送信処理においては、まず、Ｓ４００にて、遺言情報の開封指令が入力されたか否かを判断する。ここでは、遺族が遺言者により予め教えられたパスワードを、キーボード２２又はマウス２４を操作して設定することで、開封指令が入力されるようにするとよい。Ｓ４００において、開封指令が入力されていないと判断すると、再びＳ４００の同判断処理を行う。
【００５６】
一方、Ｓ４００にて、開封指令が入力されたと判断すると、次にＳ４１０へ移行し、入力された開封指令が予め定められた正規のものか否かを判断する。すなわち、本実施例においては、遺言者が予め設定しておいたパスワードと、遺族がキーボード２２又はマウス２４を操作して設定したパスワードが一致するか否かを判断する。
【００５７】
Ｓ４１０において、開封指令が正規のものでないと判断すると、そのまま当該処理を終了する。逆に、開封指令が正規のものであると判断すると、次にＳ４２０へ移行する。
Ｓ４２０においては、遺言情報及び送信先情報を報知する許可が与えられているか否かを、ＨＤＤ１４に登録された報知情報に基づいて判断する。報知する許可が与えられていると判断すると、次にＳ４３０へ移行し、遺言情報及び送信先情報をディスプレイ２６及びスピーカ２８を介して、周囲に報知する。報知方法としては、前記各種情報をディスプレイ２６に表示し、また報知する前記各種情報がある旨の音声メッセージを、スピーカ２８を介して通知する。そして、Ｓ４４０へと移行する。
【００５８】
一方、Ｓ４２０において、遺言情報及び送信先情報を報知する許可が与えられていないと判断すると、次にＳ４４０へと移行する。
Ｓ４４０においては、遺言情報を送信可能なことを表す開封情報を、ＨＤＤに１４に登録された送信先情報に基づいて、所定の送信先に送信する。
【００５９】
そして、Ｓ４５０においては、開封情報を送信した送信先から返信された情報があるか否かを判断する。情報がないと判断すると、次に、Ｓ４８０へ移行する。一方、情報があると判断すると、次にＳ４５２へ移行し、返信された情報が、遺言情報を要求する情報であるか否かを判断する。
【００６０】
Ｓ４５２において、情報が遺言情報を要求する情報でない、すなわち、開封情報が所定の送信先へ送信されなかったことを表す不着情報や、或いは遺言情報の要求とは関係ないメッセージであると判断すると、次に、Ｓ４５４へ移行する。
【００６１】
Ｓ４５４においては、ＨＤＤ１４に登録された報知情報に基づいて、前記不着情報や前記メッセージを報知するか否かを判断する。
Ｓ４５４において、報知しないと判断すると、Ｓ４５６へ移行し、前記不着情報、或いは前記メッセージを削除する。逆に、報知すると判断すると、Ｓ４５８へ移行し、前記不着情報、或いは前記メッセージをディスプレイ２６及びスピーカ２８を介して、周囲に報知する。
【００６２】
一方、Ｓ４５２において、遺言情報を要求する情報であると判断すると、次にＳ４６０へ移行し、遺言情報をその要求があった送信先に送信する。
次に、Ｓ４７０へ移行し、所定の送信先すべてに遺言情報が送信されたか否かを判断する。送信されていないと判断すると、次に、Ｓ４８０へ移行し、開封情報を送信してから予め指定した期間を経過したか否かを判断する。ここで、指定した期間を経過していないと判断すると、再びＳ４５０における、送信先より遺言情報の要求があるか否かの判断処理へと戻る。
【００６３】
一方、Ｓ４８０において、指定期間が経過したと判断すると、次にＳ４９０へと移行し、ＨＤＤ１４に登録された遺言情報、及び送信先情報等を削除して、当該処理を終了する。
【００６４】
なお、本フローのＳ４００〜Ｓ４８０における処理は、本発明の送信手段に相当する。また、Ｓ４９０における処理は、本発明の消去手段に相当する。
以上説明したように、本第２実施形態においては、遺言情報の開封指令が入力されると、遺言情報を送信可能なことを表す開封情報を、遺言情報の送信先情報に基づいて所定の送信先に送信する。そして、送信先から送信された遺言情報の要求にしたがって、遺言情報を送信する。
【００６５】
このため、本第２実施形態の遺言情報管理装置によれば、遺言情報を一方的に送信することを避けることができ、受信側にも配慮した遺言情報管理装置を提供することができる。
【００６６】
また、本第２実施形態の遺言情報管理装置においては、遺言情報が予め指定された所定の送信先に送信されるか、或いは指定期間が経過すると、ＨＤＤ１４に登録された遺言情報及び送信先情報を削除する。
【００６７】
このため、本第２実施形態によれば、遺言情報及び送信先情報が、遺言者の意図しない者に知られることを防止することができる。
また、本第２実施形態の遺言情報管理装置においては、開封情報が所定の送信先に送信されなかったことを表す不着情報や、遺言情報の要求とは関係ないメッセージ等が、所定の送信先から送信されてきた場合に、それらを報知するか否かを判断して、削除、或いは報知するように構成されている。
【００６８】
このため、本第２実施形態によれば、前記不着情報、或いは前記メッセージ等を削除するようにすることができ、開封情報の送信先が遺言者の意図しない者に知られることを防止することができる。
【００６９】
以上、本発明の実施形態について説明したが、本発明は、上記実施形態に限定されるものではなく、本発明の技術範囲内において種々の形態を採ることができる。
例えば、上記第２実施形態において、前記不着情報、或いは前記メッセージ等を削除したり報知したりするように構成されているが、上記第１実施形態の遺言情報が送信された場合においても同様に、不着情報やメッセージ等を削除するような構成としてもよい。
【００７０】
また、上記実施形態では、遺言情報や遺言情報の送信先に関する情報を管理するようにされているが、その他、遺言者個人のデータやファイル、アプリケーション等を管理するようにしてもよい。
【００７１】
また、一般のパーソナルコンピュータにおいて、ログや履歴等の各種情報の管理に適用しても同様の効果が得られる。
また、上記実施形態では、遺言情報の更新の際には、パスワードを入力させて使用者の認証を行うようにされているが、使用者本人の網膜、指紋など、少なくとも身体の一部を読み取ることで、認証を行うような構成としてもよい。
【００７２】
また、上記実施形態では、遺言者の死後に、遺言者より予め教えられたパスワードを遺族に設定させることで、開封指令が入力されるが、遺言者本人の網膜、指紋など、少なくとも身体の一部を読み取ることで、開封指令が入力されるような構成としてもよい。
【００７３】
また、遺言者の誕生日や各種記念日等、特定の日時に開封指令の入力を指示するメッセージを表示して、開封指令を入力させるような構成としてもよいし、さらに前記特定の日時に自動的に、遺言情報等の情報が所定の送信先に送信されるような構成としてもよい。
【００７４】
また、上記実施形態では、遺言情報を報知する際に、ディスプレイ２６に遺言情報を表示し、さらにスピーカ２８を介して音声メッセージを通知するようにしているが、ディスプレイ２６に表示するのみの構成にしてもよいし、スピーカ２８を介して音声メッセージで通知するのみの構成としてもよい。さらに、印刷出力して報知するような構成としてもよい。
【図面の簡単な説明】
【００７５】
【図１】実施形態の遺言情報管理装置の構成を表す概略構成図である。
【図２】遺言情報管理装置が行う遺言情報入力処理を表すフローチャートである。
【図３】遺言情報管理装置が行う遺言情報送信処理を表すフローチャートである。（第１実施形態）
【図４】遺言情報管理装置が行う遺言情報送信処理を表すフローチャートである。（第２実施形態）
【符号の説明】
【００７６】
１０…遺言者端末、１２…ＣＰＵ、１４…ＨＤＤ、１６…通信装置、１８…ＲＯＭ、２０…ＲＡＭ、２２…キーボード、２４…マウス、２６…ディスプレイ、２８…スピーカ、４０…インターネット、５０…無線電話端末、５２…携帯情報端末、５４…インターネット端末、
【図１】
2006155397.tif 000003
【図２】
2006155397.tif 000004
【図３】
2006155397.tif 000005
【図４】
2006155397.tif 000006